(57)【要約】  電力管理サーバは、発電部を有する燃料電池システムを制御する。前記電力管理サーバは、少なくとも1つのプロセッサを有する。前記プロセッサは、受信処理と、制御処理とを実行する。前記受信処理は、前記燃料電池システムの動作状態を示す情報要素を含むメッセージを受信する受信処理を含む。前記制御処理は、前記燃料電池システムを制御する制御対象期間において、前記動作状態が起動中状態、停止中状態及び停止動作中状態である前記燃料電池システムよりも優先して、前記動作状態が発電中状態である前記燃料電池システムを制御する制御処理を含む。
2020004317.tif 000002
【特許請求の範囲】
【請求項１】
発電部を有する燃料電池システムを制御する電力管理サーバであって、
少なくとも1つのプロセッサを備え、
前記少なくとも1つのプロセッサは、
前記燃料電池システムの動作状態を示す情報要素を含むメッセージを受信する受信処理と、
前記燃料電池システムを制御する制御対象期間において、前記動作状態が起動中状態、停止中状態及び停止動作中状態である前記燃料電池システムよりも優先して、前記動作状態が発電中状態である前記燃料電池システムを制御する制御処理と、を実行する電力管理サーバ。
【請求項２】
前記制御処理は、前記制御対象期間において、前記動作状態が前記停止中状態及び前記停止動作中状態である前記燃料電池システムよりも優先して、前記動作状態が前記起動中状態である前記燃料電池システムを制御する処理を含む、請求項１に記載の電力管理サーバ。
【請求項３】
前記制御処理は、前記制御対象期間において、前記動作状態が前記起動中状態である前記燃料電池システムの中で、前記発電部の温度が閾値よりも低い前記燃料電池システムよりも優先して、前記発電部の温度が前記閾値以上である前記燃料電池システムを制御する処理を含む、請求項２に記載の電力管理サーバ。
【請求項４】
前記制御処理は、前記制御対象期間において、前記動作状態が前記停止動作中状態である前記燃料電池システムよりも優先して、前記動作状態が前記停止中状態である前記燃料電池システムを制御する処理を含む、請求項１乃至請求項３のいずれかに記載の電力管理サーバ。
【請求項５】
前記受信処理は、前記燃料電池システムの停止回数を示す情報要素を含むメッセージを受信する処理を含み、
前記制御処理は、前記制御対象期間において、前記動作状態が前記停止中状態及び前記停止動作中状態である前記燃料電池システムについて、前記停止回数に基づいて前記燃料電池システムを制御する処理を含む、請求項１乃至請求項４のいずれかに記載の電力管理サーバ。
【請求項６】
前記受信処理は、前記燃料電池システムの停止種別を示す情報要素を含むメッセージを受信する処理を含み、
前記制御処理は、前記停止回数及び前記停止種別に基づいて前記燃料電池システムを制御する処理を含む、請求項５に記載の電力管理サーバ。
【請求項７】
発電部を有する燃料電池システムと、
前記燃料電池システムを制御する電力管理サーバとを備え、
前記電力管理サーバは、
少なくとも1つのプロセッサを備え、
前記プロセッサは、
前記燃料電池システムの動作状態を示す情報要素を含むメッセージを受信する受信処理と、
前記燃料電池システムを制御する制御対象期間において、前記動作状態が起動中状態、停止中状態及び停止動作中状態である前記燃料電池システムよりも優先して、前記動作状態が発電中状態である前記燃料電池システムを制御する制御処理と、を実行する、電力管理システム。
【請求項８】
発電部を有する燃料電池システムを電力管理サーバが制御する電力管理方法であって、
前記電力管理サーバが、前記燃料電池システムの動作状態を示す情報要素を含むメッセージを受信するステップと、
前記電力管理サーバが、前記燃料電池システムを制御する制御対象期間において、前記動作状態が起動中状態、停止中状態及び停止動作中状態である前記燃料電池システムよりも優先して、前記動作状態が発電中状態である前記燃料電池システムを制御するステップとを備える、電力管理方法。
【発明の詳細な説明】
【技術分野】
【０００１】
本発明は、電力管理サーバ、電力管理システム及び電力管理方法に関する。
【背景技術】
【０００２】
近年、電力系統の電力需給バランスを維持するために、蓄電装置を分散電源として用いる技術（例えば、ＶＰＰ（Ｖｉｒｔｕａｌ  Ｐｏｗｅｒ  Ｐｌａｎｔ）が知られている（例えば、特許文献１、２）。さらには、ＶＰＰなどで用いる分散電源として、燃料電池システムを用いることも考えられる。
【先行技術文献】
【特許文献】
【０００３】
【特許文献１】特開２００５−１８２３９９号公報
【発明の概要】
【０００４】
第１の特徴に係る電力管理サーバは、発電部を有する燃料電池システムを制御する。前記電力管理サーバは、少なくとも1つのプロセッサを有する。前記プロセッサは、受信処理と、制御処理とを実行する。前記受信処理は、前記燃料電池システムの動作状態を示す情報要素を含むメッセージを受信する受信処理を含む。前記制御処理は、前記燃料電池システムを制御する制御対象期間において、前記動作状態が起動中状態、停止中状態及び停止動作中状態である前記燃料電池システムよりも優先して、前記動作状態が発電中状態である前記燃料電池システムを制御する制御処理を含む。
【０００５】
第２の特徴に係る電力管理システムは、発電部を有する燃料電池システムと、前記燃料電池システムを制御する電力管理サーバとを備える。前記電力管理サーバは、受信部と制御部を備える。前記受信部は、前記燃料電池システムの動作状態を示す情報要素を含むメッセージを受信する。前記制御部は、前記燃料電池システムを制御する制御対象期間において、前記動作状態が起動中状態、停止中状態及び停止動作中状態である前記燃料電池システムよりも優先して、前記動作状態が発電中状態である前記燃料電池システムを制御する。
【０００６】
第３の特徴に係る電力管理方法は、発電部を有する燃料電池システムを電力管理サーバが制御することを含む。前記燃料電池システムを制御することは、前記電力管理サーバが、前記燃料電池システムの動作状態を示す情報要素を含むメッセージを受信することと、前記電力管理サーバが、前記燃料電池システムを制御する制御対象期間において、前記動作状態が起動中状態、停止中状態及び停止動作中状態である前記燃料電池システムよりも優先して、前記動作状態が発電中状態である前記燃料電池システムを制御することとを備える。
【図面の簡単な説明】
【０００７】
【図１】図１は、実施形態に係る電力管理システム１００を示す図である。
【図２】図２は、実施形態に係る燃料電池システム３１０を示す図である。
【図３】図３は、実施形態に係る貯湯タンク１６０を示す図である。
【図４】図４は、実施形態に係る電力管理サーバ２００を示す図である。
【図５】図５は、実施形態に係る情報要素を示す図である。
【図６】図６は、実施形態に係る電力管理方法を示す図である。
【発明を実施するための形態】
【０００８】
背景技術に言及される燃料電池システムとしては、停止中状態から発電中状態に遷移するまでの起動中状態が長い燃料電池システムも考えられる。このような背景下において、発明者等は、鋭意検討の結果、燃料電池システムをＶＰＰの分散電源と用いる場合には、蓄電装置とは異なる制御が必要であることを見出した。
【０００９】
そこで、本開示は、燃料電池システムを適切に制御することを可能とする電力管理サーバ、電力管理システム及び電力管理方法を提供する。
【００１０】
一実施形態に係る電力管理サーバは、発電部を有する燃料電池システムを制御する。前記電力管理サーバは、少なくとも1つのプロセッサを有する。前記プロセッサは、前記燃料電池システムの動作状態を示す情報要素を含むメッセージを受信する受信処理と、前記燃料電池システムを制御する制御対象期間において、前記動作状態が起動中状態、停止中状態及び停止動作中状態である前記燃料電池システムよりも優先して、前記動作状態が発電中状態である前記燃料電池システムを制御する制御処理とを実行する。
【００１１】
これにより、燃料電池システムを適切に制御することを可能とする電力管理サーバ、電力管理システム及び電力管理方法を提供できる。
【００１２】
以下において、実施形態について図面を参照しながら説明する。なお、以下の図面の記載において、同一又は類似の部分には、同一又は類似の符号を付している。
【００１３】
但し、図面は模式的なものであり、各寸法の比率などは現実のものとは異なる場合があることに留意すべきである。従って、具体的な寸法などは以下の説明を参酌して判断すべきである。また、図面相互間においても互いの寸法の関係又は比率が異なる部分が含まれている場合があることは勿論である。
【００１４】
［実施形態］
（電力管理システム）
以下において、実施形態に係る電力管理システムについて説明する。図１に示すように、電力管理システム１００は、電力管理サーバ２００と、施設３００とを有する。図１では、施設３００として、施設３００Ａ〜施設３００Ｃが例示されている。
【００１５】
各施設３００は、電力系統１１０に接続される。以下において、電力系統１１０から施設３００への電力の流れを潮流と称し、施設３００から電力系統１１０への電力の流れを逆潮流と称する。
【００１６】
電力管理サーバ２００及び施設３００は、ネットワーク１２０に接続されている。ネットワーク１２０は、電力管理サーバ２００と施設３００との間の回線を提供すればよい。例えば、ネットワーク１２０は、インターネットであってもよい。ネットワーク１２０は、ＶＰＮ（Ｖｉｒｔｕａｌ  Ｐｒｉｖａｔｅ  Ｎｅｔｗｏｒｋ）などの専用回線であってもよい。
【００１７】
電力管理サーバ２００は、例えば、発電事業者、送配電事業者、小売事業者、リソースアグリゲータなどの電力事業者によって管理されるサーバである。リソースアグリゲータは、ＶＰＰ（Ｖｉｒｔｕａｌ  Ｐｏｗｅｒ  Ｐｌａｎｔ）において、発電事業者、送配電事業者及び小売事業者などに対して電力系統１１０の電力管理を請け負う電力事業者である。電力系統１１０の電力管理は、電力系統１１０の電力管理などを含む。電力管理サーバ２００の詳細については後述する（図４を参照）。
【００１８】
ここで、電力管理サーバ２００は、施設３００に設けられるＥＭＳ３２０に対して、施設３００に設けられる分散電源に対する制御を指示する制御メッセージを送信してもよい。例えば、電力管理サーバ２００は、潮流の制御を要求する潮流制御メッセージ（例えば、ＤＲ；Ｄｅｍａｎｄ  Ｒｅｓｐｏｎｓｅ）を送信してもよい。電力管理サーバ２００は、逆潮流の制御を要求する逆潮流制御メッセージを送信してもよい。電力管理サーバ２００は、分散電源の動作状態を制御する電源制御メッセージを送信してもよい。潮流又は逆潮流の制御度合いは、絶対値（例えば、○○ｋＷ）で表されてもよく、相対値（例えば、○○％）で表されてもよい。潮流又は逆潮流の制御度合いは、２以上のレベルで表されてもよい。潮流又は逆潮流の制御度合いは、現在の電力需給バランスによって定められる電力料金（ＲＴＰ；Ｒｅａｌ  Ｔｉｍｅ  Ｐｒｉｃｉｎｇ）によって表されてもよい。潮流又は逆潮流の制御度合いは、過去の電力需給バランスによって定められる電力料金（ＴＯＵ；Ｔｉｍｅ  Ｏｆ  Ｕｓｅ）によって表されてもよい。
【００１９】
施設３００は、燃料電池システム３１０及びＥＭＳ３２０を有する。燃料電池システム３１０は、ガスなどの燃料を用いて発電を行う設備を含む。燃料電池システム３１０の詳細については後述する（図２を参照）。ＥＭＳ３２０は、施設３００に設けられる設備を制御する設備（Ｅｎｅｒｇｙ  Ｍａｎａｇｅｍｅｎｔ  Ｓｙｓｔｅｍ）である。
【００２０】
施設３００は、電力を消費する負荷設備を有していてもよい。負荷設備は、例えば、空調設備、照明設備、ＡＶ（Ａｕｄｉｏ  Ｖｉｓｕａｌ）設備などである。施設３００は、燃料電池システム３１０以外の分散電源を有していてもよい。分散電源は、例えば、太陽光、風力又は地熱などの自然エネルギーを利用して発電を行う設備を含んでもよい。分散電源は、蓄電池設備を含んでもよい。
【００２１】
実施形態において、電力管理サーバ２００とＥＭＳ３２０との間の通信は、第１プロトコルに従って行われてもよい。一方で、ＥＭＳ３２０と燃料電池システム３１０との間の通信は、第１プロトコルとは異なる第２プロトコルに従って行われてもよい。例えば、第１プロトコルとしては、Ｏｐｅｎ  ＡＤＲ（Ａｕｔｏｍａｔｅｄ  Ｄｅｍａｎｄ  Ｒｅｓｐｏｎｓｅ）に準拠するプロトコル、或いは、独自の専用プロトコルを用いることができる。例えば、第２プロトコルは、ＥＣＨＯＮＥＴ  Ｌｉｔｅに準拠するプロトコル、ＳＥＰ（Ｓｍａｒｔ  Ｅｎｅｒｇｙ  Ｐｒｏｆｉｌｅ）２．０、ＫＮＸ、或いは、独自の専用プロトコルを用いることができる。なお、第１プロトコルと第２プロトコルは異なっていればよく、例えば、両方が独自の専用プロトコルであっても異なる規則で作られたプロトコルであればよい。
【００２２】
（燃料電池システム）
以下において、実施形態に係る燃料電池システムについて説明する。図２は、実施形態に係る燃料電池システム３１０を示す図である。燃料電池システム３１０は、少なくとも燃料電池設備１５０を含む。燃料電池システム３１０は、貯湯タンク１６０と併設されている。ここでは、燃料電池システム３１０は、燃料電池設備１５０を含み、貯湯タンク１６０と併設されるコジェネレーションシステムであるものとして説明を続ける。
【００２３】
燃料電池設備１５０は、ガスなどの燃料を用いて発電を行う設備である。具体的には、図２に示すように、燃料電池設備１５０は、燃料電池１５１と、ＰＣＳ１５２と、ブロワ１５３と、脱硫器１５４と、着火ヒータ１５５と、ラジエータ１５６と、制御基板１５７と、熱交換出口１５８Ａと、熱交換入口１５８Ｂとを有する。
【００２４】
燃料電池１５１は、燃料を用いて発電を行う設備である。具体的には、燃料電池１５１は、改質器１５１Ａと、セルスタック１５１Ｂとを有する。
【００２５】
改質器１５１Ａは、後述する脱硫器１５４によって付臭剤が除去された燃料から改質ガスを生成する。改質ガスは、水素及び一酸化炭素によって構成されるガスである。
【００２６】
セルスタック１５１Ｂは、後述するブロワ１５３から供給される空気（酸素）と改質ガスとの化学反応によって発電する。具体的には、セルスタック１５１Ｂは、複数のセルがスタックされた構造を有する。各セルは、燃料極と空気極との間に電解質が挟み込まれた構造を有する。燃料極には、改質ガス（水素）が供給され、空気極には、空気（酸素）が供給される。電解質において改質ガス（水素）及び空気（酸素）の化学反応が生じて、電力（ＤＣ電力）及び熱が生成される。
【００２７】
ＰＣＳ１５２は、燃料電池１５１から出力されたＤＣ電力をＡＣ電力に変換する設備（Ｐｏｗｅｒ  Ｃｏｎｄｉｔｉｏｎｉｎｇ  Ｓｙｓｔｅｍ）である。
【００２８】
ブロワ１５３は、燃料電池１５１（セルスタック１５１Ｂ）に空気を供給する。ブロワ１５３は、例えば、ファンによって構成される。ブロワ１５３は、セルスタック１５１Ｂの温度が許容温度の上限を超えないようにセルスタック１５１Ｂを冷却する。
【００２９】
脱硫器１５４は、外部から供給される燃料に含まれる付臭剤を除去する。燃料は、都市ガスであってもよく、プロパンガスであってもよい。
【００３０】
着火ヒータ１５５は、セルスタック１５１Ｂで化学反応しなかった燃料（以下、未反応燃料）に着火し、セルスタック１５１Ｂの温度を高温に維持するヒータである。すなわち、着火ヒータ１５５は、セルスタック１５１Ｂを構成する各セルの開口から漏れる未反応燃料に着火する。着火ヒータ１５５は、未反応燃料が燃焼していないケース（例えば、燃料電池設備１５０の起動時）において、未反応燃料に着火すればよいことに留意すべきである。そして、未反応ガスの燃焼が開始した後においては、セルスタック１５１Ｂから僅かずつ溢れ出る未反応燃料が燃焼し続けることによって、セルスタック１５１Ｂの温度が高温に維持される。
【００３１】
ラジエータ１５６は、セルスタック１５１Ｂの温度が許容温度の上限を超えないようにセルスタック１５１Ｂを冷却してもよい。貯湯タンク１６０から燃料電池設備１５０に流れる水（復路）の温度が許容温度の上限を超えないように水（復路）を冷却してもよい。
【００３２】
制御基板１５７は、燃料電池１５１、ＰＣＳ１５２、ブロワ１５３、脱硫器１５４、着火ヒータ１５５及び制御基板１５７を制御する回路を搭載する基板である。
【００３３】
熱交換出口１５８Ａは、貯湯タンク１６０への水（水（往路）とも称する）を導く口である。熱交換出口１５８Ａは、後述する還流管１６１と接続される。
【００３４】
熱交換入口１５８Ｂは、貯湯タンク１６０からの水（水（復路）とも称する）を導く口である。熱交換入口１５８Ｂは、後述する還流管１６２と接続される。
【００３５】
改質器１５１Ａ、ブロワ１５３、脱硫器１５４、着火ヒータ１５５及び制御基板１５７は、セルスタック１５１Ｂの動作を補助する補機の一例である。また、ＰＣＳ１５２の一部を補機として扱ってもよい。
【００３６】
燃料電池システム３１０の動作状態は、発電中状態、停止中状態、起動中状態、停止動作中状態、アイドル中状態などを含む。例えば、動作状態は、ＥＣＨＯＮＥＴ  Ｌｉｔｅにおいて発電動作状態と称されてもよい。
【００３７】
発電中状態は、燃料電池１５１による発電が行われている状態である。起動中状態は、停止中状態から発電中状態に至る状態である。停止中状態は、燃料電池１５１の動作が停止している状態である。停止動作中状態は、発電中状態から停止中状態に至る状態である。アイドル中状態は、燃料電池システム３１０から電力が出力されていないが、セルスタック１５１Ｂの温度が所定温度に維持される状態である。所定温度は、発電中状態におけるセルスタック１５１Ｂの発電温度（例えば、６５０℃〜１０００℃）と同程度であってもよい。所定温度は、発電温度よりも低い温度（例えば、４５０℃〜６００℃）であってもよい。アイドル中状態において、補機の電力は、燃料電池１５１から出力される電力によって賄われてもよい。アイドル中状態において、補機の電力は、他の分散電源（例えば、自然エネルギーを利用して発電を行う設備又は蓄電池設備）から供給される電力によって賄われてもよい。アイドル中状態において、補機の電力は、電力系統１１０から供給される電力によって賄われてもよい。
【００３８】
図２に示す例では、制御基板１５７は、燃料電池設備１５０に設けられる。しかしながら、実施形態はこれに限定されるものではない。燃料電池システム３１０は、ユーザ操作を受け付けるリモートコントローラを含み、制御基板１５７は、リモートコントローラに設けられてもよい。或いは、制御基板１５７が有する機能は、燃料電池設備１５０に設けられる基板及びリモートコントローラの双方によって実現されてもよい。
【００３９】
貯湯タンク１６０は、図２及び図３に示すように、還流管１６１及び還流管１６２によって燃料電池設備１５０と連結される。還流管１６１は、燃料電池設備１５０の排熱によって温められる水（往路）の流路を形成する。還流管１６１は、貯湯タンク１６０から燃料電池設備１５０に供給される水（復路）の流路を形成する。貯湯タンク１６０は、給湯口１６３及び給水口１６４を有する。給湯口１６３は、貯湯タンク１６０から湯を取り出すための口である。給水口１６４は、貯湯タンク１６０に水を供給するための口である。給湯口１６３から湯が取り出された場合に、給水口１６４から水が供給される。
【００４０】
例えば、図３に示すように、貯湯タンク１６０の上部には、還流管１６１及び給湯口１６３が設けられている。貯湯タンク１６０の上部には、比較的に高温の水が貯留される。一方で、貯湯タンク１６０の下部には、還流管１６２及び給水口１６４が設けられている。貯湯タンク１６０の下部には、比較的に低温の水が貯留される。
【００４１】
実施形態において、燃料電池設備１５０の制御基板１５７は、通信モジュールを有する。制御基板１５７は、電力管理サーバ２００にメッセージを送信する通信部を構成する。制御基板１５７は、ＥＭＳ３２０を経由してメッセージを電力管理サーバ２００に送信してもよい。制御基板１５７は、燃料電池システム３１０の動作状態を示す情報要素を含むメッセージを送信する。制御基板１５７は、貯湯タンク１６０と通信を行う機能を有していてもよい。制御基板１５７は、貯湯タンク１６０の湯量又は湯温を示す情報要素を含むメッセージを貯湯タンク１６０から受信してもよい。制御基板１５７は、貯湯タンク１６０と通信を行う機能を有していなくてもよい。
【００４２】
（電力管理サーバ）
以下において、実施形態に係る電力管理サーバについて説明する。図４に示すように、電力管理サーバ２００は、管理部２１０と、通信部２２０と、制御部２３０とを有する。電力管理サーバ２００は、ＶＴＮ（Ｖｉｒｔｕａｌ  Ｔｏｐ  Ｎｏｄｅ）の一例である。
【００４３】
管理部２１０は、不揮発性メモリ又は／及びＨＤＤなどの記憶媒体によって構成されている。管理部２１０は、電力管理サーバ２００によって管理される施設３００に関するデータを記憶する。電力管理サーバ２００によって管理される施設３００は、電力事業者と契約を有する施設３００であってもよい。例えば、施設３００に関するデータは、電力系統１１０から施設３００に供給される需要電力であってもよい。施設３００に関するデータは、施設３００に設けられる燃料電池システム３１０の種別、施設３００に設けられる燃料電池システム３１０のスペックなどであってもよい。スペックは、燃料電池システム３１０の定格発電電力（Ｗ）などであってもよい。さらに、施設３００に関するデータは、貯湯タンク１６０の容量を含んでもよい。
【００４４】
通信部２２０は、通信モジュールによって構成されている。通信部２２０は、ネットワーク１２０を介してＥＭＳ３２０と通信を行う。通信部２２０は、上述したように、第１プロトコルに従って通信を行う。例えば、通信部２２０は、第１プロトコルに従って第１メッセージをＥＭＳ３２０に送信する。通信部２２０は、第１プロトコルに従って第１メッセージ応答をＥＭＳ３２０から受信する。ここで、通信部２２０は、発電量データをＥＭＳ３２０から受信する。通信部２２０は、発電量データを定期的にＥＭＳ３２０から受信してもよい。
【００４５】
実施形態において、通信部２２０は、動作状態を示す情報要素を含むメッセージを燃料電池システム３１０から受信する。通信部２２０は、ＥＭＳ３２０を介して動作状態を示す情報要素を含むメッセージを燃料電池システム３１０から受信してもよい。
【００４６】
図５に示すように、動作状態を示す情報要素は、発電中状態、停止中状態、起動中状態、停止動作中状態及びアイドル中状態のいずれかを示す情報要素である。各動作状態の詳細については上述した通りである。
【００４７】
制御部２３０は、メモリ及びＣＰＵ（Central Processing Unit）などによって構成されている。制御部２３０は、少なくとも1つのプロセッサによって構成されていてもよい。制御部２３０は、電力管理サーバ２００に設けられる各構成を制御する。例えば、制御部２３０は、制御メッセージの送信によって、施設３００に設けられるＥＭＳ３２０に対して、施設３００に設けられる燃料電池システム３１０に対する制御を指示する。制御メッセージは、上述したように、潮流制御メッセージであってもよく、逆潮流制御メッセージであってもよく、電源制御メッセージであってもよい。
【００４８】
実施形態において、第１に、制御部２３０は、燃料電池システム３１０を制御する制御対象期間において、動作状態が起動中状態、停止中状態及び停止動作中状態である燃料電池システム３１０よりも優先して、動作状態が発電中状態である燃料電池システム３１０を制御する。
【００４９】
ここで、制御対象期間は、電力系統１１０の電力需給バランスの逼迫などの要因から、施設３００の電力需要を減少する必要がある期間である。制御対象期間は、ＶＰＰで制御される期間であってもよい。制御対象期間は、ＤＲで制御される期間であってもよい。
【００５０】
第２に、制御部２３０は、制御対象期間において、動作状態が停止中状態及び停止動作中状態である燃料電池システム３１０よりも優先して、動作状態が起動中状態である燃料電池システム３１０を制御してもよい。このようなケースにおいて、制御部２３０は、制御対象期間において、動作状態が起動中状態である燃料電池システム３１０の中で、発電部（ここでは、セルスタック１５１Ｂ）の温度が閾値よりも低い燃料電池システム３１０よりも優先して、発電部の温度が閾値以上である燃料電池システム３１０を制御してもよい。これにより、制御部２３０は、同じ起動中状態にある複数の燃料電池システム３１０を比較した場合に、より早く発電中状態に到達できる燃料電池システム３１０から優先して、制御することができる。
【００５１】
第３に、制御部２３０は、制御対象期間において、動作状態が停止動作中状態である燃料電池システム３１０よりも優先して、動作状態が停止中状態である燃料電池システム３１０を制御してもよい。
【００５２】
上述したように、出力電力を増大すべき燃料電池システム３１０の優先順位は、発電中状態、起動中状態、停止中状態、停止動作中状態の順で定められる。
【００５３】
ここでは、動作状態として、発電中状態、停止中状態、起動中状態及び停止動作中状態の４つの状態について例示しているが、実施形態はこれに限定されるものではない。上述したように、動作状態は、上述した４つの状態に加えて、アイドル中状態を含んでもよい。このようなケースにおいては、アイドル中状態の燃料電池システム３１０の優先順位は、発電中状態の燃料電池システム３１０の優先順位と同様に扱われてもよい。アイドル中状態の燃料電池システム３１０の優先順位は、発電中状態の燃料電池システム３１０の優先順位よりも低くてもよい。アイドル中状態の燃料電池システム３１０の優先順位は、起動中状態の燃料電池システム３１０の優先順位よりも高くてもよい。
【００５４】
（電力管理方法）
以下において、実施形態に係る電力管理方法について説明する。図６では、電力系統１１０の電力需給バランスの逼迫などの要因から、燃料電池システム３１０の出力電力を増大するニーズがあるケースが想定されている。図６では、１つの燃料電池システム３１０が例示されているが、図１に示すように、２以上の燃料電池システム３１０が存在している。
【００５５】
図６に示すように、ステップＳ１１において、燃料電池システム３１０は、動作状態を示す情報要素を含むメッセージを電力管理サーバ２００に送信する。燃料電池システム３１０は、動作状態を示す情報要素を含むメッセージを電力管理サーバ２００に定期的に送信してもよい。情報要素は、図５で例示した通りである。
【００５６】
ステップＳ１２において、電力管理サーバ２００は、動作状態を示す情報要素に基づいて、出力電力を増大すべき燃料電池システム３１０を選択する。例えば、電力管理サーバ２００は、電力系統１１０の電力需給バランスの逼迫を解消するために必要な燃料電池システム３１０を優先順位に基づいて選択する。出力電力を増大すべき燃料電池システム３１０の優先順位は、発電中状態（アイドル中状態）、起動中状態、停止中状態、停止動作中状態の順で定められる。
【００５７】
ステップＳ１３において、電力管理サーバ２００は、選択結果に基づいて、燃料電池システム３１０を制御するための制御メッセージを燃料電池システム３１０に送信する。例えば、電力管理サーバ２００は、優先順位の高い燃料電池システム３１０の出力電力の増大を指示する制御メッセージを送信する。
【００５８】
（作用及び効果）
実施形態では、電力管理サーバ２００は、動作状態を示す情報要素に基づいて、出力電力を増大すべき燃料電池システム３１０を選択する。出力電力を増大すべき燃料電池システム３１０の優先順位は、発電中状態（アイドル中状態）、起動中状態、停止中状態、停止動作中状態の順で定められる。このような構成によれば、電力系統１１０の電力需給バランスの逼迫解消に速やかに寄与する燃料電池システム３１０を選択することができる。
【００５９】
［変更例１］
以下において、実施形態の変更例１について説明する。以下においては、実施形態に対する相違点について主として説明する。
【００６０】
変更例１において、燃料電池システム３１０は、燃料電池システム３１０の停止回数を示す情報要素を含むメッセージを送信してもよい。燃料電池システム３１０は、燃料電池システム３１０の停止種別を示す情報要素を含むメッセージを送信してもよい。言い換えると、電力管理サーバ２００は、燃料電池システム３１０の停止回数を示す情報要素を含むメッセージを燃料電池システム３１０から受信してもよい。電力管理サーバ２００は、燃料電池システム３１０の停止種別を示す情報要素を含むメッセージを燃料電池システム３１０から受信してもよい。
【００６１】
例えば、停止種別は、正常停止及び異常停止を含む。正常停止とは、燃料電池１５１による発電を停止するが、ブロワ１５３又はラジエータ１５６を停止せずに、ブロワ１５３又はラジエータ１５６を用いてセルスタック１５１Ｂの温度を下げながら、燃料電池システム３１０の動作を停止する動作である。一方で、異常停止は、燃料電池１５１による発電だけではなく、燃料電池システム３１０の全体の動作を停止する動作である。正常停止は、例えば、相対的に軽微な異常に応じて実行される動作、若しくは、燃料電池システム３１０の定期メンテナンスで実行される動作である。一方、異常停止は、例えば、相対的に重大な異常に応じて実行される動作、若しくは、正常停止を行えない状態で実行される動作である。
【００６２】
さらに、燃料電池システム３１０の停止は、手動停止及び自動停止を含む。手動停止とは、ユーザ操作に起因する停止である。自動停止は、燃料電池システム３１０が有する停止機能に起因する停止である。自動停止は、ユーザ操作を要せずに、燃料電池システム３１０による自動的な停止である。手動停止は、上述した正常停止及び異常停止を含む。同様に、自動停止は、上述した正常停止及び異常停止を含む。さらに、燃料電池システム３１０の停止は、電力管理サーバ２００から遠隔操作によって燃料電池システム３１０を停止する動作（すなわち、上述した遠隔停止）を含んでもよい。このような動作は、手動停止としてカウントされてもよく、自動停止としてカウントされてもよい。
【００６３】
異常停止は、例えば、燃料電池システム３１０内のガスの濃度が所定範囲外となる事象に応じて実行される停止であってもよい。異常停止は、燃料電池システム３１０内のＣＯの濃度が上限閾値を超える事象に応じて実行される停止であってもよい。異常停止は、燃料電池システム３１０に設けられる部品（セルスタック、燃料触媒など）の温度が上限閾値を超える事象（高温異常）に応じて実行される停止であってもよい。ガスの濃度、ＣＯの濃度及び部品の温度は燃料電池システム３１０に設けられるセンサによって検出されてもよい。異常停止は、センサの検出結果によって燃料電池システム３１０が自動的に停止する自動停止でもよい。異常停止は、センサの検出結果のユーザに通知することによって燃料電池システム３１０がユーザ操作で停止する手動停止でもよい。さらに、異常停止は、例えば、燃料電池システム３１０に設けられる部品（例えば、センサ、ブロワ１５３、ラジエータ１５６など）の異常に応じて実行される停止であってもよい。異常停止は、部品の異常の検出結果によって燃料電池システム３１０が自動的に停止する自動停止でもよい。異常停止は、部品の異常の検出結果をユーザに通知することによって燃料電池システム３１０がユーザ操作で停止する手動停止でもよい。
【００６４】
正常停止は、異常停止以外の停止である。正常停止は、例えば、燃料電池システム３１０に設けられる部品（セルスタックなど）の温度が下限閾値を下回る事象（低温異常）に応じて実行される停止であってもよい。部品の温度は燃料電池システム３１０に設けられるセンサによって検出されてもよい。正常停止は、センサの検出結果によって燃料電池システム３１０が自動的に停止する自動停止でもよい。正常停止は、センサの検出結果のユーザに通知することによって燃料電池システム３１０がユーザ操作で停止する手動停止でもよい。さらに、正常停止は、通信異常に応じて実行される停止であってもよい。通信異常は、ＰＣＳ１５２、制御基板１５７及びリモートコントローラなどのように、燃料電池システム３１０に設けられる部品の間の通信異常であってもよい。通信異常は、燃料電池システム３１０とＥＭＳ３２０との間の通信異常であってもよい。通信異常は、通信できない状態が所定時間以上に亘って継続する異常であってもよい。正常停止は、通信異常の検出結果によって燃料電池システム３１０が自動的に停止する自動停止でもよい。正常停止は、通信異常の検出結果をユーザに通知することによって燃料電池システム３１０がユーザ操作で停止する手動停止でもよい。正常停止は、電力系統１１０の異常に応じて実行される停止であってもよい。電力系統１１０の異常は、停電であってもよく、系統電圧及び系統周波数の異常であってもよい。正常停止は、電力系統１１０の異常の検出結果によって燃料電池システム３１０が自動的に停止する自動停止でもよい。正常停止は、電力系統１１０の異常の検出結果をユーザに通知することによって燃料電池システム３１０がユーザ操作で停止する手動停止でもよい。
【００６５】
停止回数は、正常停止の回数であってもよく、異常停止の回数であってもよく、正常停止及び異常停止の合計回数であってもよい。さらに、停止回数は、自動停止及び手動停止を区別可能な回数であってもよい。
【００６６】
このようなケースにおいて、電力管理サーバ２００は、制御対象期間において、動作状態が停止中状態及び停止動作中状態である燃料電池システムについて、停止回数に基づいて燃料電池システムを制御してもよい。例えば、電力管理サーバ２００は、停止回数が所定閾値以上である燃料電池システム３１０よりも優先して、停止回数が所定閾値よりも少ない燃料電池システムを制御してもよい。
【００６７】
さらに、電力管理サーバ２００は、停止回数及び停止種別に基づいて燃料電池システムを制御してもよい。例えば、電力管理サーバ２００は、異常停止の停止回数が所定閾値以上である燃料電池システム３１０よりも優先して、異常停止の停止回数が所定閾値よりも少ない燃料電池システムを制御してもよい。さらに、電力管理サーバ２００は、異常停止の停止回数が所定閾値以上である燃料電池システム３１０の中から、正常停止の停止回数が所定閾値以上である燃料電池システム３１０よりも優先して、正常停止の停止回数が所定閾値よりも少ない燃料電池システムを制御してもよい。
【００６８】
（作用及び効果）
実施形態では、電力管理サーバ２００は、停止回数（及び停止種別）を示す情報要素に基づいて、出力電力を増大すべき燃料電池システム３１０を選択する。このような構成によれば、停止回数の上限が燃料電池システム３１０に定められているケースを想定した場合に、停止回数が上限に達する可能性を軽減しながら、出力電力を増大すべき燃料電池システム３１０を適切に選択することができる。
【００６９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７０】
実施形態では、燃料電池システム３１０が発電部の昇温によって発電を行うタイプであるケースを想定して、発電部の温度が閾値よりも低い燃料電池システム３１０よりも優先して、発電部の温度が閾値以上である燃料電池システム３１０が制御される。しかしながら、実施形態はこれに限定されるものではない。燃料電池システム３１０が発電部の降温によって発電を行うタイプである場合には、発電部の温度が閾値よりも高い燃料電池システム３１０よりも優先して、発電部の温度が閾値未満である燃料電池システム３１０が制御されてもよい。
【００７１】
実施形態では、管理部２１０が電力管理サーバ２００に設けられるが、実施形態はこれに限定されるものではない。例えば、管理部２１０は、ネットワーク１２０を介して電力管理サーバ２００と接続されるサーバに設けられてもよい。
【００７２】
燃料電池設備１５０は、固体酸化物型燃料電池（ＳＯＦＣ：Ｓｏｌｉｄ  Ｏｘｉｄｅ  Ｆｕｅｌ  Ｃｅｌｌ）である。但し、燃料電池設備１５０は、固体高分子型燃料電池（ＰＥＦＣ：Ｐｏｌｙｍｅｒ  Ｅｌｅｃｔｒｏｌｙｔｅ  Ｆｕｅｌ  Ｃｅｌｌ）であってもよく、リン酸型燃料電池（ＰＡＦＣ：Ｐｈｏｓｐｈｏｒｉｃ  Ａｃｉｄ  Ｆｕｅｌ  Ｃｅｌｌ）であってもよく、溶融炭酸塩型燃料電池（ＭＣＦＣ：Ｍｏｌｔｅｎ  Ｃａｒｂｏｎａｔｅ  Ｆｕｅｌ  Ｃｅｌｌ）であってもよい。
【００７３】
実施形態では、第１プロトコルがＯｐｅｎ  ＡＤＲ２．０に準拠するプロトコルであり、第２プロトコルがＥＣＨＯＮＥＴ  Ｌｉｔｅに準拠するプロトコルであるケースについて例示した。しかしながら、実施形態はこれに限定されるものではない。第１プロトコルは、電力管理サーバ２００とＥＭＳ３２０との間の通信で用いるプロトコルとして規格化されたプロトコルであればよい。第２プロトコルは、施設３００で用いるプロトコルとして規格化されたプロトコルであればよい。
【００７４】
本願は、日本国特許出願第２０１８−１２１６２７号（２０１８年６月２７日出願）の優先権を主張し、その内容のすべてが本願明細書に組み込まれている。
【図１】
2020004317.tif 000003
【図２】
2020004317.tif 000004
【図３】
2020004317.tif 000005
【図４】
2020004317.tif 000006
【図５】
2020004317.tif 000007
【図６】
2020004317.tif 000008
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
各々発電部を有する複数の燃料電池システムを制御する電力管理サーバであって、
少なくとも1つのプロセッサを備え、
前記少なくとも1つのプロセッサは、
前記複数の燃料電池システムの各々の動作状態を示す情報要素を含むメッセージを受信する受信処理と、
前記燃料電池システムを制御する制御対象期間において、前記動作状態が起動中状態、停止中状態及び停止動作中状態である前記燃料電池システムよりも優先して、前記動作状態が発電中状態である前記燃料電池システムを、ＶＰＰ（Virtual Power Plant）の分散電源として、制御する制御処理と、を実行する電力管理サーバ。
【請求項２】
前記制御処理は、前記制御対象期間において、前記動作状態が前記停止中状態及び前記停止動作中状態である前記燃料電池システムよりも優先して、前記動作状態が前記起動中状態である前記燃料電池システムを、ＶＰＰの分散電源として、制御する処理を含む、請求項１に記載の電力管理サーバ。
【請求項３】
前記制御処理は、前記制御対象期間において、前記動作状態が前記起動中状態である前記燃料電池システムの中で、前記発電部の温度が閾値よりも低い前記燃料電池システムよりも優先して、前記発電部の温度が前記閾値以上である前記燃料電池システムを、ＶＰＰの分散電源として、制御する処理を含む、請求項２に記載の電力管理サーバ。
【請求項４】
前記制御処理は、前記制御対象期間において、前記動作状態が前記停止動作中状態である前記燃料電池システムよりも優先して、前記動作状態が前記停止中状態である前記燃料電池システムを、ＶＰＰの分散電源として、制御する処理を含む、請求項１乃至請求項３のいずれかに記載の電力管理サーバ。
【請求項５】
前記受信処理は、前記燃料電池システムの停止回数を示す情報要素を含むメッセージを受信する処理を含み、
前記制御処理は、前記制御対象期間において、前記動作状態が前記停止中状態及び前記停止動作中状態である前記燃料電池システムについて、前記停止回数に基づいて前記燃料電池システムを、ＶＰＰの分散電源として、制御する処理を含む、請求項１乃至請求項４のいずれかに記載の電力管理サーバ。
【請求項６】
前記受信処理は、前記燃料電池システムの停止種別を示す情報要素を含むメッセージを受信する処理を含み、
前記制御処理は、前記停止回数及び前記停止種別に基づいて前記燃料電池システムを、ＶＰＰの分散電源として、制御する処理を含む、請求項５に記載の電力管理サーバ。
【請求項７】
各々発電部を有する複数の燃料電池システムと、
前記複数の燃料電池システムを制御する電力管理サーバとを備え、
前記電力管理サーバは、
少なくとも1つのプロセッサを備え、
前記プロセッサは、
前記複数の燃料電池システムの各々の動作状態を示す情報要素を含むメッセージを受信する受信処理と、
前記燃料電池システムを制御する制御対象期間において、前記動作状態が起動中状態、停止中状態及び停止動作中状態である前記燃料電池システムよりも優先して、前記動作状態が発電中状態である前記燃料電池システムを、ＶＰＰ（Virtual Power Plant）の分散電源として、制御する制御処理と、を実行する、電力管理システム。
【請求項８】
各々発電部を有する複数の燃料電池システムを電力管理サーバが制御する電力管理方法であって、
前記電力管理サーバが、前記複数の燃料電池システムの各々の動作状態を示す情報要素を含むメッセージを受信するステップと、
前記電力管理サーバが、前記燃料電池システムを制御する制御対象期間において、前記動作状態が起動中状態、停止中状態及び停止動作中状態である前記燃料電池システムよりも優先して、前記動作状態が発電中状態である前記燃料電池システムを、ＶＰＰ（Virtual Power Plant）の分散電源として、制御するステップとを備える、電力管理方法。
【手続補正２】
【補正対象書類名】明細書
【補正対象項目名】００３８
【補正方法】変更
【補正の内容】
【００３８】
貯湯タンク１６０は、図２及び図３に示すように、還流管１６１及び還流管１６２によって燃料電池設備１５０と連結される。還流管１６１は、燃料電池設備１５０の排熱によって温められる水（往路）の流路を形成する。還流管１６２は、貯湯タンク１６０から燃料電池設備１５０に供給される水（復路）の流路を形成する。貯湯タンク１６０は、給湯口１６３及び給水口１６４を有する。給湯口１６３は、貯湯タンク１６０から湯を取り出すための口である。給水口１６４は、貯湯タンク１６０に水を供給するための口である。給湯口１６３から湯が取り出された場合に、給水口１６４から水が供給される。
【国際調査報告】
2020004317.tif 000009
2020004317.tif 000010